(57)【要約】【課題】二重構造の配管として、より安全性が高く、液漏れ対策にも万全を期した搬送配管の構造を提供せんとする。【解決手段】直線部及びエルボ部を共に実管４、５、６と鞘管１、２、３の二重構造とし、適宜箇所に中央部の透孔７Ａ、８Ａに実管４、５が挿着されると共に、鞘管１、２の内周壁に周端面が当接するセンタリングスペーサ７、８を配置した。鞘管１、２の適宜箇所に垂下空間部１５を下設し、開閉バルブ１８を有する回収口１７を付設すると共に、センタリングスペーサ７、８の最下部となる鞘管１、２の底部と接する部分に切り欠き１９を設けた。【選択図】図６
2004108568.tif 000002
【特許請求の範囲】
【請求項１】
直線部及びエルボ部を共に実管と鞘管の二重構造とし、適宜箇所に中央部の透孔に実管が挿着されると共に、鞘管の内周壁に周端面が当接するセンタリングスペーサを配置したことを特徴とする搬送配管の構造。
【請求項２】
鞘管の全部又は一部を透明材又は半透明材で形成した請求項１記載の搬送配管の構造。
【請求項３】
鞘管の適宜箇所に垂下空間部を下設し、開閉バルブを有する回収口を付設すると共に、センタリングスペーサの最下部となる鞘管の底部と接する部分に切り欠きを設けた請求項１又は２記載の搬送配管の構造。
【請求項４】
垂設した複数の垂下空間部の間に実管の継手部を設けると共に、当該継手部の前後に鞘管と実管の空間を閉鎖して仕切る閉鎖用センタリングスペーサを設けた請求項３記載の搬送配管の構造。
【請求項５】
垂下空間部を透明材又は半透明材で形成した請求項３又は４記載の搬送配管の構造。
【発明の詳細な説明】
【０００１】
【発明の属する技術分野】
本発明は、化学液や各種処理廃棄液等の各工程装置間等の搬送や、液体の供給に配設する配管の構造に関するものである。
【０００２】
【従来の技術】
例えば、化学溶液や廃棄液は搬送の安全上の要請として、二重配管とするのが望ましい。
そこで、フレキシブルなホースを鞘管として二重管を構成したり、樋状の受皿内に実管を載置する変形の二重管とするものがある。
【０００３】
エルボ部においては、フレキシブルなホースを直角に折曲できず、大径の曲線を形成してエルボ部を構成しているのである。
このエルボ部の構成については、特開２００１ー２００９８０が解決手段を提案している。
【０００４】
【発明が解決しようとする課題】
そこで、本発明は二重構造の配管として、より安全性が高く、液漏れ対策にも万全を期した搬送配管の構造を提供せんとするものである。
【０００５】
【課題を解決するための手段】
本発明は、直線部及びエルボ部を共に実管と鞘管の二重構造とし、適宜箇所に中央部の透孔に実管が挿着されると共に、鞘管の内周壁に周端面が当接するセンタリングスペーサを配置したことを特徴とする搬送配管である。
【０００６】
センタリングスペーサによって鞘管と実管が固定され、実管のたわみ、振動を防止すると共に鞘管の強度を高め、耐圧力が向上するものである。
又、二重化することによる保温作用、実管の劣化防止作用、保護作用及び管外への液漏れ防止作用は、従来通り有するものである。
【０００７】
請求項２の発明は、鞘管を透明材又は半透明材で形成したもので、鞘管の内部が透視可能となるため、実管からの液漏れの発生を鞘管の底部に液体が溜まるのを視認できるものとなる。
【０００８】
請求項３の発明は、鞘管の適宜箇所に垂下空間部を下設し、開閉バルブを有する回収口を付設すると共に、センタリングスペーサの最下部となる鞘管の底部と接する部分に切り欠きを設けたものであり、センタリングスペーサの切り欠き部を通って、垂下空間部に漏れた液が貯留することで、液漏れの確認と漏れた液の回収を回収口より行える作用を有する。
【０００９】
請求項４の発明は、垂設した複数の垂下空間部の間に実管の継手部を設けると共に、当該継手部の前後に鞘管と実管の空間を閉鎖して仕切る閉鎖用センタリングスペーサを設けたものであり、垂下空間部に貯留する漏れた液の実管の原因範囲が垂下空間部の前後の閉鎖用センタリングスペーサ間であることが判って、補修をより迅速に行えるものとなる。
【００１０】
請求項５の発明は、垂下空間部を透明材又は半透明材で形成したものであり、液漏れの発生を容易に視認できる作用を奏するのである。
【００１１】
【発明の実施の形態】
本発明の実施の形態を図面に基づいて説明する。
図１は一実施の形態を示す一部縦断平面図であり、直線部鞘管１、エルボ部鞘管２、継手部鞘管３、直線部実管４、エルボ部実管５及び継手部実管６の管材、及び実管４、５、６を鞘管１、２、３内に支持するセンタリングスペーサ７、８より構成されている。
【００１２】
連結した各鞘管１、２、３に連結した各実管４、５、６を収容した二重構造に形成され、直線部実管４とエルボ部実管５に装着したセンタリングスペーサ７、８により、鞘管１、２、３内に実管を係止固定することで、実管４、５、６のたわみや振動を防止し、鞘管内に実管を安定的に支持している。
【００１３】
センタリングスペーサ７、８は、中央部に直線部又はエルボ部の実管４、５を挿通可能に係止する透孔７Ａ、８Ａを設け、外周端は直線部又はエルボ部の鞘管１、２の内周面に当接して係止するものであり、センタリングスペーサ７は直線部実管４の適宜箇所に配設し、センタリングスペーサ８はエルボ部実管５の両端部付近に設けられる。
又、実管４、５との係止面に鍔７Ｂ、８Ｂを形成してもよい。
【００１４】
エルボ部鞘管２と直線部鞘管１とは、エルボ部鞘管２に設けた両端近傍の直線部内壁面の段部１０、１０又は係止突縁へ、直線部鞘管１の端部を突合挿着し、直線部鞘管１、１同士は継手部鞘管３の両端近傍に設けた段部１１、１１又は係止突縁へ、直線部鞘管１、１の端部を突合挿着して連結するものである。
又、鞘管１、２を合成樹脂製等の外的環境で伸縮するものの場合は、伸縮継手１２を適宜介在させるのが望ましい。
【００１５】
一方、エルボ部実管５と直線部実管４は、エルボ部実管５の直線部分へ直線部実管４の端部を挿入して連結し、エルボ部実管５の端部に挿着したセンタリングスペーサ８、８を前記エルボ部鞘管２の段部１０、１０と直線部鞘管１、１の突合を利用して介在係止することで、エルボ部実管５をエルボ部鞘管２内に位置決め固定する。
又、直線部実管４、４同士は継手部実管６に挿着し、段部１３、１３等へ突合して連結するものである。
【００１６】
各部材の連結部分や挿着部分では、必要により適宜に溶接１４し、連結を確実に行うことは言うまでもない。
そして、各鞘管１、２、３の一部又は全部を透明材又は半透明材とし、各実管４、５、６の状態や液漏れの発見を容易とすることができる。
【００１７】
図６は、請求項３の一実施の形態を示す正面図であり、直線部鞘管１の底部に升状の垂下空間部１５を設け、垂下空間部１５の底部に排水パイプ１６を連接して回収口１７とし、開閉バルブ１８を付設したものである。
実管４、５、６の液漏れによって、流れ出た液が鞘管１、２、３を流れて垂下空間部１５に溜まり、液漏れの発見・確認と共に、回収口１７より安全に回収できるものである。
【００１８】
そこで、センタリングスペーサ７、８の最下部となって鞘管１、２、３の底部と接する部分に切り欠き１９を設け、実管４、５、６より漏れた液が垂下空間部１５へ流れて行くのに障害とならないようにするようにしている。切り欠き１９は他の場所にも二ケ所以上形成してもよい。
【００１９】
このように、漏れた液は近くの垂下空間部１５へ流れ込むものである。しかし、複数の垂下空間部１５を設けた場合に、隣同士の関係にある垂下空間部１５、１５の中間に、直線部実管４、４の継手部６Ａを設け、その前後位置に直線部鞘管１、１と直線部実管４、４の空間を閉鎖する閉鎖用センタリングスペーサ９、９を当着してあり、液の通過を阻止する閉鎖用センタリングスペーサ９を設けることで、液漏れの発生した実管の場所を迅速に発見・確認できるものとなる。
そして、液漏れの発生した継手部６Ａ、６Ａ間の実管及び鞘管を全部取り替えることで簡単に修理を行えるのである。
【００２０】
更に、垂下空間部１５を透明材又は半透明材とすることで、液の有無の確認を容易確実にできるものである。
又、垂下空間部１５等で視認による液漏れの発見のほか、液体検知媒体を鞘管内や垂下空間部内に設置して回動的に検知することもできる。
【００２１】
【発明の効果】
以上のように、本発明は二重構造の配管構造として、より安全性が高く、液漏れにも万全を期すことができ、保温効果、実管の保護と共に劣化防止等を兼ね備えたものである。
【図面の簡単な説明】
【図１】本発明の一実施の形態を示す平面図である。
【図２】センタリングスペーサの他の実施の形態を示す断面図である。
【図３】エルボ部を示す要部断面図である。
【図４】継手部を示す要部断面図である。
【図５】伸縮継手部を示す要部断面図である。
【図６】垂下空間部を示す要部断面図である。
【図７】センタリングスペーサの他の実施の形態を示す要部断面図である。
【図８】他の実施の形態を示す正面図である。
【符号の説明】
１　直線部鞘管
２　エルボ部鞘管
３　継手部鞘管
４　直線部実管
５　エルボ部実管
６、６Ａ　継手部実管
７、８　センタリングスペーサ
７Ａ、８Ａ　透孔
７Ｂ、８Ｂ　鍔
９　閉鎖用センタリングスペーサ
１０、１１、１３　段部
１２　伸縮継手
１４　溶接
１５　垂下空間部
１６　排水パイプ
１７　回収口
１８　開閉バルブ
１９　切り欠き
【図１】
2004108568.tif 000003
【図２】
2004108568.tif 000004
【図３】
2004108568.tif 000005
【図４】
2004108568.tif 000006
【図５】
2004108568.tif 000007
【図６】
2004108568.tif 000008
【図７】
2004108568.tif 000009
【図８】
2004108568.tif 000010